(57)【要約】  本出願は、モータ（１１）が取り付けられる第１のハウジング（１０）と、圧縮空気を生成するための圧縮手段（２１）が取り付けられる第２のハウジング（２０）とを備え、第２のハウジングは、第２のハウジングが折り畳み位置と伸長位置との間で第１のハウジングに対して折り畳み可能であるように第１のハウジングに回転可能に取り付けられ、モータが圧縮手段を駆動させることができるように、折り畳み位置と伸長位置との間にある少なくとも１つの位置でモータを圧縮手段に結合するための結合手段を備える、ハンドヘルド膨張装置に関する。【選択図】図１
2020522638.tif 000002
【特許請求の範囲】
【請求項１】
モータ（１１）が取り付けられる第１のハウジング（１０）と、
圧縮空気を生成するための圧縮手段（２１）が取り付けられる第２のハウジング（２０）と、を備え、
前記第２のハウジングは、前記第２のハウジングが折り畳み位置と伸長位置との間で前記第１のハウジングに対して折り畳み可能であるように前記第１のハウジングに回転可能に取り付けられ、
前記モータが前記圧縮手段を駆動させることができるように、前記折り畳み位置と前記伸長位置との間にある少なくとも１つの位置で前記モータを前記圧縮手段に結合するための結合手段を備える、ハンドヘルド膨張装置。
【請求項２】
前記結合手段は、
前記第１のハウジング（１０）に取り付けられて前記モータ（１１）によって駆動される第１の結合手段（１３）と、
前記第１の結合手段（１１）に結合され得る前記第２のハウジング（２０）内の第２の結合手段（２２）であって、前記第２の結合手段が前記圧縮手段（２１）に結合される、第２の結合手段（２２）と、を備える、請求項１に記載のハンドヘルド膨張装置。
【請求項３】
前記第１及び第２の結合手段は、平歯車、湾曲歯車、又は、傘歯車を備える、請求項２に記載のハンドヘルド膨張装置。
【請求項４】
前記結合手段は、前記モータ（１１）が前記圧縮手段（２１）を駆動させるように、前記折り畳み位置で前記モータ（１１）の出力を前記圧縮手段（２１）に伝える、請求項１から３のいずれか一項に記載のハンドヘルド膨張装置。
【請求項５】
前記第１のハウジング（１０）が１つの軸の周りで回転可能に前記第２のハウジングに取り付けられ、前記第１のハウジング（１０）が前記第２のハウジング（２０）に対して連続的に回転できる、又は、前記第１のハウジング（１０）が前記第２のハウジング（２０）に対して段階的に回転される、請求項１から４のいずれか一項に記載のハンドヘルド膨張装置。
【請求項６】
前記結合手段は、前記モータ（１１）が前記圧縮手段（２１）を駆動させることができるように、前記折り畳み位置と前記伸長位置との間にある各位置で前記モータ（１１）の出力を前記圧縮手段（２１）に伝えることができる、請求項１から５のいずれか一項に記載のハンドヘルド膨張装置。
【請求項７】
前記伸長位置では、前記第１のハウジングが前記第２のハウジングと略平行であり、前記折り畳み位置では、前記第１のハウジングが前記第２のハウジングに対して略垂直である、請求項１から６のいずれか一項に記載のハンドヘルド膨張装置。
【請求項８】
前記第１の結合手段と前記第２の結合手段との結合を選択的に制御するためのクラッチ手段を更に備える、請求項２に記載のハンドヘルド膨張装置。
【請求項９】
前記第１及び第２の結合手段の係合のために前記第１の結合手段又は前記第２の結合手段を付勢する付勢手段を更に備え、前記クラッチ手段の作動は、前記第１の結合手段が前記第２の結合手段から離脱されるように前記付勢手段の付勢力に打ち勝つ、請求項８に記載のハンドヘルド膨張装置。
【請求項１０】
前記第１のハウジング及び前記第２のハウジングを選択的にロックするためのロック手段を更に備える、請求項２に記載のハンドヘルド膨張装置。
【請求項１１】
前記第１の結合手段と前記第２の結合手段との結合を選択的に制御するためのクラッチ手段を更に備える、請求項１０に記載のハンドヘルド膨張装置。
【請求項１２】
前記ロック手段の作動は、前記クラッチ手段を同時に作動させて、前記第１のハウジングと前記第２のハウジングとの間の相対回転を可能にする、請求項１１に記載のハンドヘルド膨張装置。
【請求項１３】
前記第１の結合手段（１１）は、一対の係合する傘歯車（３１、３２）、一対の噛み合う中間駆動歯車（３３、３４）を備え、
前記第２の結合手段は、傘歯車（２５）と、この傘歯車に係合するねじ込みボルト（３５）とを備え、
前記中間駆動歯車（３４）は、前記中間駆動歯車（３４）が前記ねじ込みボルト（３５）と共に回転できるように前記ねじ込みボルト（３５）と選択的に係合可能である、請求項６に記載のハンドヘルド膨張装置。
【請求項１４】
前記第１のハウジング及び前記第２のハウジングを選択的にロックするためのロック手段を更に備える、請求項１３に記載のハンドヘルド膨張装置。
【請求項１５】
前記中間駆動歯車（３４）と前記ねじ込みボルト（３５）との結合を選択的に制御するためのクラッチ手段を更に備える、請求項１４に記載のハンドヘルド膨張装置。
【請求項１６】
前記ロック手段の作動は、前記クラッチ手段を同時に作動させて、前記第１のハウジングと前記第２のハウジングとの間の相対回転を可能にする、請求項１５に記載のハンドヘルド膨張装置。
【発明の詳細な説明】
【技術分野】
【０００１】
本発明は、一般に、ポンプなどの折り畳み式ハンドヘルド膨張装置に関する。
【背景技術】
【０００２】
空気ポンプなどの膨張装置は、当技術分野では一般的であり、圧縮空気を供給してタイヤなどを充填するために使用される。ポンプは、動力ユニットと圧縮手段とを備える。動力ユニットは、回転出力を生成するために給電され、その後、その回転出力を圧縮手段に伝え、圧縮手段は圧縮空気を圧縮する。例えば、モータは、２つの三角形のベルトを介してポンプクランクシャフトを駆動して、ピストンを駆動し、それにより、ガスを圧縮し、また、圧縮されたガスは、パイプを介してリザーバに導入される。圧力バルブを設定することができる。シリンダ内の圧力が圧力バルブにより設定された圧力に達しない場合には、圧縮ガスがガスシリンダ内に蓄積し、ガスは圧力バルブを開放できない。シリンダ内の圧力が圧力バルブに達すると、シリンダからのガスは、圧力バルブのバルブを開き、出口から膨張されるべき物品へと排出される。
【発明の概要】
【発明が解決しようとする課題】
【０００３】
しかしながら、そのような膨張装置は、一般にサイズが大きく、所定のプラントでの使用にのみ適しており、持ち運びが容易ではない。
【０００４】
したがって、容易に持ち運びできるとともに容易に収容できるように折り畳み可能な膨張装置を提案する必要がある。そのような膨張装置は、例えば、それが必要とされるときにタイヤを膨張させるべく自動車内に配置されてもよい。
【課題を解決するための手段】
【０００５】
本出願はハンドヘルド膨張装置を提供し、このハンドヘルド膨張装置は、モータが取り付けられる第１のハウジングと、圧縮空気を生成するための圧縮手段が取り付けられる第２のハウジングとを備え、前記第２のハウジングは、前記第２のハウジングが折り畳み位置と伸長位置との間で前記第１のハウジングに対して折り畳み可能であるように前記第１のハウジングに回転可能に取り付けられ、また、ハンドヘルド膨張装置は、前記モータが前記圧縮手段を駆動させることができるように、前記折り畳み位置と前記伸長位置との間にある少なくとも１つの位置で前記モータを前記圧縮手段に結合するための結合手段を備える。
【０００６】
１つの実施形態において、前記結合手段は、前記第１のハウジングに取り付けられて前記モータによって駆動される第１の結合手段と、前記第１の結合手段に結合され得る前記第２のハウジング２０内の第２の結合手段であって、前記第２の結合手段が前記圧縮手段に結合される、第２の結合手段とを備える。
【０００７】
他の実施形態において、前記第１及び第２の結合手段は、平歯車、湾曲歯車、又は、傘歯車を備える。
【０００８】
他の実施形態において、前記結合手段は、前記モータが前記圧縮手段を駆動させるように、前記折り畳み位置で前記モータの出力を前記圧縮手段に伝える。
【０００９】
他の実施形態では、前記第１のハウジングが１つの軸の周りで回転可能に前記第２のハウジングに取り付けられ、前記第１のハウジングが前記第２のハウジングに対して連続的に回転できる、又は、前記第１のハウジングが前記第２のハウジングに対して段階的に回転される。
【００１０】
他の実施形態において、前記結合手段は、前記モータが前記圧縮手段を駆動させることができるように、前記折り畳み位置と前記伸長位置との間にある各位置で前記モータの出力を前記圧縮手段に伝えることができる。
【００１１】
他の実施形態において、前記伸長位置では、前記第１のハウジングが前記第２のハウジングと略平行であり、また、前記折り畳み位置では、前記第１のハウジングが前記第２のハウジングに対して略垂直である。
【００１２】
他の実施形態では、前記第１の結合手段と前記第２の結合手段との結合を選択的に制御するためのクラッチ手段を更に備える。
【００１３】
他の実施形態では、前記第１及び第２の結合手段の係合のために前記第１の結合手段又は前記第２の結合手段を付勢する付勢手段を更に備え、前記クラッチ手段の作動は、前記第１の結合手段が前記第２の結合手段から離脱されるように前記付勢手段の付勢力に打ち勝つ。
【００１４】
他の実施形態では、前記第１のハウジング及び前記第２のハウジングを選択的にロックするためのロック手段を更に備える。
【００１５】
他の実施形態では、前記第１の結合手段と前記第２の結合手段との結合を選択的に制御するためのクラッチ手段を更に備える。
【００１６】
他の実施形態において、前記ロック手段の作動は、前記クラッチ手段を同時に作動させて、前記第１のハウジングと前記第２のハウジングとの間の相対回転を可能にする。
【００１７】
他の実施形態において、前記第１の結合手段は、一対の係合する傘歯車、一対の噛み合う中間駆動歯車を備え、前記第２の結合手段は、傘歯車と、この傘歯車に係合するねじ込みボルトとを備え、前記中間駆動歯車は、前記中間駆動歯車が前記ねじ込みボルトと共に回転できるように前記ねじ込みボルトと選択的に係合可能である。
【００１８】
他の実施形態では、前記第１のハウジング及び前記第２のハウジングを選択的にロックするためのロック手段を更に備える。
【００１９】
他の実施形態では、前記中間駆動歯車と前記ねじ込みボルトとの結合を選択的に制御するためのクラッチ手段を更に備える。
【００２０】
他の実施形態において、前記ロック手段の作動は、前記クラッチ手段を同時に作動させて、前記第１のハウジングと前記第２のハウジングとの間の相対回転を可能にする。
【図面の簡単な説明】
【００２１】
【図１】第１のハウジングが第２のハウジングに対して略垂直である本発明の一実施形態を示す。
【図２】第１のハウジングと第２のハウジングとが互いに略平行である一実施形態を示す。
【図３】ハウジングが省かれてモータ及び圧縮手段が略平行状態にある内部構造を示す。
【図４】モータと圧縮手段とが互いに対してある角度まで回転される状態を示す。
【図５】モータと圧縮手段とが互いに対して略垂直状態まで回転される状態を示す。
【図６】結合手段がより詳細に示される他の実施形態を示す。
【図７】結合装置の他の実施形態である。
【発明を実施するための形態】
【００２２】
図１及び図２は、本発明のハンドヘルド膨張装置の一実施形態を示し、図１は折り畳み位置を示し、図２は伸長位置を示す。膨張装置１は、第１のハウジング１０と第２のハウジング２０とを含む。第１のハウジング１０及び第２のハウジング１０は、その内部の構造を明確に示すために透視的に示される。第１のハウジング１０内には、モータ１１などの動力装置が設けられる。モータ１１は、第１の結合手段を回転駆動させるために、第１の結合手段（図６に示される構成に類似し得る）に結合される出力シャフトを有する。モータ１１は、外部電源（図示せず）によって駆動されてもよい。一例では、外部電源が自動車の出力となり得る。
【００２３】
第２のハウジング２０には、圧縮空気を供給するための圧縮手段２１が設けられる。第２の結合手段２２も設けられ、この第２の結合手段は、第１の結合手段が第２の結合手段２２を選択的に駆動させることができるように第１の結合手段と選択的に結合される。第２の結合手段は、モータの出力を第１の結合手段及び第２の結合手段を介して圧縮手段２１に伝えることができ、それにより、圧縮手段２１を駆動させて動作させるように、圧縮手段２１にも結合される。圧縮手段２１には、圧縮空気を排出するための排出口２３が設けられる。
【００２４】
第１の結合手段がモータの被駆動シャフトに取り付けられる歯車を含むことができ、この歯車を図１の位置で第２の結合手段の歯車２５と係合させることができることが理解できる。したがって、モータは、空気を圧縮させるべく圧縮手段２１を駆動させることができる。１つの実施形態では、第１のハウジング１０と第２のハウジング２０とが図１から互いに対して回転すると、第１の結合手段と第２の結合手段とが離脱され、その結果、モータが圧縮手段２１を駆動させることができない。他の実施形態において、第１の結合手段及び第２の結合手段は、第１のハウジングと第２のハウジングとが互いに対して回転するそれぞれの位置で係合可能である。
【００２５】
設置を容易にするために、圧縮手段２１がブラケット２４に設けられてもよく、ブラケット２４は第２のハウジングに固定される。当業者であれば分かるように、望ましい場合にはブラケット２４を排除できる。圧縮手段２１は、第２のハウジングの内面に直接に取り付けられ得る。
【００２６】
圧縮手段２１は、既知のピストン圧縮手段又はダイアフラム圧縮手段であってもよい。例えば、ピストン圧縮手段は、シリンダ、ピストン、クランクシャフト等を含んでもよい。第２の結合手段は、ガス圧縮を達成するためにピストンが往復動されるようにクランクシャフトを駆動させることができる。ダイアフラム圧縮手段は、ダイアフラム、クランクシャフト、シリンダブロック、オイルライン及びガスライン、電気制御システム、及び、幾つかの付属品から成ってもよい。勿論、ダイアフラム圧縮手段は、ダイアフラムを駆動させるためにピストンを含んでもよい。
【００２７】
ブラケット２４は、垂直壁と水平壁とを含むＬ字形の支持体である。垂直壁は、それに貫通穴を含む。圧縮手段のシリンダは、貫通穴に挿通して設置される。シリンダの端部には、ホースと結合するための排出口２３が設けられる。
【００２８】
図１は、第１のハウジング１０と第２のハウジング２０とが互いに略垂直な状態、すなわち、折り畳み位置を示す。第１のハウジング１０及び第２のハウジング２０が略平行である、すなわち、伸長位置である図２の状態まで回転するために、第１のハウジング１０及び第２のハウジング２０を仮想軸２に対して回転させることができる。第１のハウジング１０と第２のハウジング２０との間の角度が９０度から１８０度まで変化し得ることが理解できる。以下に説明するように、１つの実施形態において、第１のハウジング１０及び第２のハウジング２０を互いに対して無段階に回転させることができ、すなわち、第１のハウジング１０及び第２のハウジング２０は、９０度〜１８０度の任意の角度で停止でき、また、第１のハウジング１０及び第２のハウジング２０を選択された角度でロックすることができる。他の実施形態では、第１のハウジング１０及び第２のハウジング２０を、段階的に回転させる、すなわち、幾つかの所定の位置のうちの１つまで相対的に回転させることができる。例えば、第１のハウジング１０と第２のハウジング２０との角度は、９０度、１２０、１５０、又は、１８０度まで変化し得る。
【００２９】
好ましくは、相対回転を防止するために第１のハウジング１０及び第２のハウジング２０をロックするべくロック装置が設けられる。第１のハウジング及び第２のハウジングを互いに対して回転させる必要があるとき、ロック手段は、第１のハウジングと第２のハウジングの間の相対回転を可能にするように作動される。第１のハウジング１０及び第２のハウジング２０が所望の位置まで回転されると、第１のハウジング及び第２のハウジングが再ロックされ、それにより、これらのハウジングは互いに対して回転できない。随意的に、モータ１１が作動されるときにはロック装置を作動させることができない。
【００３０】
１つの実施形態において、第２の結合手段２２は、第１の結合手段と結合するのに適したタイプの歯車、例えば平歯車、傘歯車、又は、湾曲歯車であってもよい歯車２５を含む。歯車２５は、１つの軸の周りに回転可能に取り付けられる。歯車２５には駆動ピン２６が偏心して設けられ、また、駆動ピン２６は歯車２５と共に回転する。ピストンロッド２７が駆動ピン２６に接続され、それにより、歯車２５の回転をピストンロッド２７の往復動に変換することができる。ピストンロッド２７は、ピストン（図示せず）をシリンダ２８内で往復動するように駆動させ、それにより、空気圧縮を達成する。シリンダ２８には当技術分野で知られているように入口弁及び出口弁が設けられることが理解され得る。第２の結合手段の歯車２５は、ブラケット２４の水平壁に回転可能に取り付けられる。１つの実施形態において、円錐歯車２５は、水平壁の長手方向に移動可能に構成されてもよい。傘歯車２５を第１の結合手段と係合するように付勢するべく付勢手段が設けられる。付勢手段の付勢力に打ち勝つ場合、傘歯車２５を水平壁の長手方向に移動させて第１の結合手段から離脱させることができる。
【００３１】
歯車２５の回転をピストンの往復動に変換するための他の装置も当業者により考え得る。
【００３２】
随意的に、第１の結合手段と第２の結合手段との係合を選択的に制御するためにクラッチ装置が設けられてもよい。クラッチ装置が作動される場合には、第１のハウジングと第２のハウジングとが相対的に回転されるときに第１の結合手段と第２の結合手段とを離脱させることができる。そして、第１のハウジング及び第２のハウジングが所望の位置まで回転されると、クラッチ装置が作動されず、したがって、第１の結合手段と第２の結合手段とが再び係合される。
【００３３】
クラッチをロック装置により制御できる。ロック装置が作動されると、クラッチは、第１の結合手段と第２の結合手段とを離脱させることができるように作動される。ロック装置が作動されない場合、クラッチは、第１の結合手段と第２の結合手段とが再び係合されるように作動停止される。
【００３４】
図２は、第１のハウジング１０と第２のハウジング２０とが互いに略平行であることを示す。ユーザは、第１のハウジング１０及び第２のハウジング２０を回転させることによって膨張装置を格納するのに適した構成を選択できる。適した構成は、図１の折り畳み位置又は図２の伸長位置、或いは、折り畳み位置と伸長位置との間の任意の位置となり得る。したがって、膨張装置は、格納に関して高い柔軟性をもたらす。
【００３５】
１つの実施形態では、図２に示されるように、膨張装置が伸長位置に戻るのを支援するために復帰手段を設けることができる。復帰手段はスプリングリーフであってもよい。したがって、膨張装置が図２の位置から図１の位置へと変更される場合、ユーザはスプリングリーフの可撓性に打ち勝つ必要がある。ロック手段は、第１のハウジング１０及び第２のハウジング２０をそれらが略垂直位置（図１）にあるときにロックする。その後、空気を送出するために膨張装置を使用できる。膨張装置の使用後、ロック手段は、膨張装置が復帰手段により図２の位置に復帰するように作動され得る。
【００３６】
好ましくは、膨張装置の伸長位置を停止手段により調整できる。停止手段は、第１のハウジング１０と第２のハウジング２０との間の角度を例えば１７０度に制限する。ユーザは、停止手段を使用して、第１のハウジング１０と第２のハウジング２０との間の角度制限を調整することができ、それにより、膨張装置の伸長位置を制御する。
【００３７】
他の実施形態において、第１の結合手段及び第２の結合手段２２は、モータ１１が圧縮ガスを生成するべく圧縮手段２１を駆動させることができるように図２の位置で係合されたままである。この実施形態では、図７に示されるような結合手段を使用できる。また、当業者は、本出願の教示内容により他の適切な結合手段も想起できる。
【００３８】
したがって、本出願により、ユーザは、空気を送出する又は格納するのに適した位置（図１又は図２）を選択できる。図１と図２との間の中間位置も可能である。
【００３９】
内部構造をより明確に示すために、図３〜図６では第１ハウジング及び第２ハウジングが省かれる。図３〜図５の実施形態は、第２の結合手段としての平歯車の使用を示し、また、図６の実施形態は、第２の結合手段としての傘歯車の使用を示す。
【００４０】
図３は、モータ１１と圧縮手段２１とが略平行に配置される実施形態を示す。ブラケット２４には２つの支持プレート２９が設けられる。モータ部分は、シャフト３を中心にモータ１１を回転させることができるようにシャフト３を介して支持プレート２９に結合される。歯車２５はブラケット２４に回転可能に取り付けられる。歯車２５は、平歯車であってもよく、又は、歯車２５が所定の位置で第１の結合手段と係合できる限りにおいて傘歯車又は湾曲歯車であってもよい。図３は、ホース（図示せず）によってタイヤなどの膨張されるべき物体に接続されてもよい圧縮手段２１の排出口２３を示す。駆動ピン２６が歯車２５に偏心して取り付けられる。歯車２５は、駆動ピン２６を歯車２５の軸の周りで回転するように駆動させ、また、ピストンロッド２７は駆動ピン２６に接続され、それにより、ピストンロッドが往復動する。駆動ピン２６が、歯車２５と同軸的に取り付けられて歯車２５により駆動され得るクランクシャフトと置き換えられてもよいことが理解され得る。
【００４１】
第１の結合手段と第２の結合手段との係合を選択的に制御するためにクラッチ装置が設けられてもよい。例えば、図３を例にとると、第２の結合装置２２の歯車２５は、水平方向に移動できるように取り付けられてもよい。第１の結合手段との係合のために歯車を左側へ付勢するために付勢手段が設けられる。このようにすると、歯車２５が付勢手段に打ち勝つことによって右へ押されるときに第１の結合手段と第２の結合手段とを離脱させることができる。他の実施形態では、第１の結合手段の歯車を第２の結合手段の歯車２５と係合するように付勢するために付勢手段を第１の結合手段に設けることができる。
【００４２】
図３のモータ１１は、図４に示される位置に入るために軸３の周りで圧縮手段２１に対して回転され、図４に示される位置では、モータ１１と圧縮手段２１とが成す角度θが約１３５度である。１３５度の角度が単なる例であることは注目に値する。当業者であれば分かるように、モータ１１及び圧縮手段２１は、９０〜１８０度の範囲内の他の角度まで回転されてもよい。
【００４３】
図４のモータ１１は、図５に示される位置まで圧縮手段２１に対して回転し続けることができ、図５に示される位置では、モータ部分と圧縮手段部分とが互いに略垂直である。この位置では、モータ１１の出力を圧縮手段に伝えるためにモータ部分の第１の結合手段を歯車２５と係合させることができる。
【００４４】
他の実施形態では、モータ１１が圧縮空気を生成するべく圧縮手段２１を依然として駆動させることができるように、第１の結合手段及び第２の結合手段も図３及び図４に示される位置で係合可能である。そのような実施形態では、図７に示されるような結合手段を使用できる。また、当業者は、本出願の教示内容により他の適切な結合手段も想起できる。
【００４５】
第１のハウジング１０及び第２のハウジング２０が取り付けられた後、第１のハウジング１０及び第２のハウジング２０もシャフト３の周りで回転可能であることが理解され得る。
【００４６】
１つの実施形態において、支持プレート２９には、第１のハウジングと第２のハウジングとの間の所定の角度に対応するスロット４が設けられる。バネ荷重ピン（図示せず）をシャフト３に設けることができる。したがって、ピンは、第１のハウジング及び第２のハウジングが所定の角度まで回転するときにスロット４のうちの１つと係合する。これに関連して、ピンがスロット４から離脱されるときにのみ、第１のハウジングと第２のハウジングとを互いに対して回転させることができる。
【００４７】
ハンドヘルドポンプの折り畳み可能な形態に起因して、本発明のポンプは、異なる用途に適用可能であるとともに、格納及び使用に関してより便利である。
【００４８】
図６は、歯車２５が傘歯車である実施形態を示す。また、図６は、傘歯車２５と係合する傘歯車１４を備える第１の結合手段１３も示す。モータ１１はブラケット１５に取り付けられ、該ブラケット１５は、シャフト３を中心に回転可能に支持プレート２９に取り付けられる。ブラケット１５は第１のハウジングに固定されてもよい。この構成により、第１のハウジング１０と第２のハウジングとが約１３５度の角度にあるとき、第１の結合手段１３と第２の結合手段２２が係合される。
【００４９】
第１及び第２の結合手段の歯車の形状に応じて、第１及び第２の結合手段を異なる角度で係合させることができることが理解され得る。当業者は、湾曲歯車を使用できることを理解し得る。
【００５０】
幾つかの実施形態では、第１及び第２の結合装置が湾曲歯車及び／又は傘歯車であるが、当業者は動力伝達のための他の結合構造も想起できる。
【００５１】
例えば、図７に示されるように、第１の結合手段１３は、傘歯車３１，３２、中間歯車３３，３４を含む。第２の結合手段２２は、螺旋状にネジが付けられた又は斜めのネジ山を伴うねじ込みボルト３５と、これと係合される傘歯車２５とを備える。傘歯車２５は、軸３６の周りで回転可能である。モータ１１は、歯車３２、３３、３４を介して傘歯車３１を駆動させ、その後、歯車２５を駆動させる。駆動ピン２６が歯車２５に偏心して取り付けられる。歯車３４とねじ込みボルト３５とを選択的に係合させるためにクラッチ装置が設けられてもよい。クラッチ装置は、当技術分野で知られている摩擦クラッチ又は電磁石クラッチであってもよい。歯車３４とねじ込みボルト３５とが係合されると、これらの２つは一緒に回転される。歯車３４とねじ込みボルト３５とが離脱されると、歯車３４はねじ込みボルト３５とは無関係に回転する。このようにすると、第１のハウジングと第２のハウジングとを互いに対して回転させる必要がある場合、クラッチ装置は、歯車３４とラック３５とが離脱されるように作動され、それにより、第１のハウジングと第２のハウジングとを容易に回転させることができる。図７の結合手段は、各位置（角度）で第１の結合手段と第２の結合手段との係合を可能にし、これにより、膨張装置の使用に関してより大きな柔軟性がもたらされる。
【００５２】
図７に示される構成は、図１〜図６の実施形態に適用され得る。
【００５３】
圧縮手段２１にもガスリザーバが設けられてもよいと考えられ、また、圧縮手段の圧縮空気は、最初にガスリザーバに入り、その後、ガスリザーバを通じて排出口２３へ運ばれる。リザーバの圧力を表示するために圧力計がリザーバに接続される。リザーバの圧力を示すために、第２のハウジング２０に表示装置が設けられてもよい。
【００５４】
本発明を明細書中で詳しく説明してきたが、前述の詳細な説明は本発明を限定するものとして解釈されるべきではなく、単に本発明を説明するのに役立つにすぎないことに留意すべきである。前述の様々な特徴は、本発明の範囲から逸脱することなく互いに組み合わせて使用され得る。
【図１】
2020522638.tif 000003
【図２】
2020522638.tif 000004
【図３】
2020522638.tif 000005
【図４】
2020522638.tif 000006
【図５】
2020522638.tif 000007
【図６】
2020522638.tif 000008
【図７】
2020522638.tif 000009
【国際調査報告】
2020522638.tif 000010
2020522638.tif 000011